(57)【要約】【課題】一つの携帯電話番号に対して、少なくとも一つ以上の他の電話番号を関連付け、関連付けた電話番号を利用可能にするサービスを速やかに提供することを目的とする。【解決手段】情報処理装置は、Ｗｅｂサイトを介した携帯電話からの要求に応じて、携帯電話に係る第一の電話番号を含むユーザ情報を、ユーザ情報格納手段に登録するユーザ情報登録手段を有し、電話交換装置は、第一の電話番号と、電話番号格納手段に登録されている第二の電話番号と、を関連付ける関連付け手段と、第二の電話番号の利用可能化に係る処理を実行する利用可能化処理手段と、を有することにより、上記課題を解決する。【選択図】図７
2007129644.tif 000002
【特許請求の範囲】
【請求項１】
Ｗｅｂサイトに係る機能を提供する情報処理装置と、電話交換装置と、を含む電話交換システムであって、
前記情報処理装置は、
前記Ｗｅｂサイトを介した携帯電話からの要求に応じて、前記携帯電話に係る第一の電話番号を含むユーザ情報を、ユーザ情報格納手段に登録するユーザ情報登録手段を有し、
前記電話交換装置は、
前記第一の電話番号と、電話番号格納手段に登録されている第二の電話番号と、を関連付ける関連付け手段と、
前記第二の電話番号の利用可能化に係る処理を実行する利用可能化処理手段と、
を有すること特徴とする電話交換システム。
【請求項２】
前記電話交換装置は、前記電話番号格納手段に登録されている第二の電話番号の中から、付加価値の高い前記第二の電話番号を抽出する抽出手段を更に有することを特徴とする請求項１記載の電話交換システム。
【請求項３】
前記関連付け手段は、前記抽出手段において抽出された前記第二の電話番号に係る関連付けを行う際は、抽選を行い、抽選に当選すると、前記第一の電話番号と、前記第二の電話番号と、を関連付けることを特徴とする請求項１又は２記載の電話交換システム。
【請求項４】
前記ユーザ情報には、前記第二の電話番号に係る金額の情報が含まれ、
前記関連付け手段は、前記抽出手段において抽出された前記第二の電話番号に係る関連付けを行う際は、前記金額が最も高い前記第一の電話番号と、前記第二の電話番号と、を関連付けることを特徴とする請求項１又は２記載の電話交換システム。
【請求項５】
前記関連付け手段は、前記第二の電話番号に係る情報を、前記情報処理装置を介して携帯電話に提供し、前記携帯電話を用いたユーザの選択指示に応じて、前記第一の電話番号と、前記第二の電話番号と、を関連付けることを特徴とする請求項１又は２記載の電話交換システム。
【請求項６】
Ｗｅｂサイトに係る機能を提供する情報処理装置と、電話交換装置と、を含む電話交換システムにおける電話番号関連付け方法であって、
前記情報処理装置が、前記Ｗｅｂサイトを介した携帯電話からの要求に応じて、前記携帯電話に係る第一の電話番号を含むユーザ情報を、ユーザ情報格納手段に登録するユーザ情報登録段階と、
前記電話交換装置が、前記第一の電話番号と、電話番号格納手段に登録されている第二の電話番号と、を関連付ける関連付け段階と、
前記電話交換装置が、前記第二の電話番号の利用可能化に関する処理を実行する利用可能化処理段階と、
を含むことを特徴とする電話番号関連付け方法。
【請求項７】
請求項６記載の電話番号関連付け方法をコンピュータに実行させることを特徴とする電話番号関連付けプログラム。
【請求項８】
請求項７記載の電話番号関連付けプログラムを記録したコンピュータ読み取り可能な記録媒体。
【発明の詳細な説明】
【技術分野】
【０００１】
本発明は、電話交換システム、電話番号関連付け方法、電話番号関連付けプログラム及び記録媒体に関する。
【背景技術】
【０００２】
従来、電話交換システム等は、如何に品質のよい音声通信を行うかを主な目的としていた（例えば、特許文献１参照。）。
一方、近年、携帯電話（携帯電話端末）の普及が著しく、多くの人が携帯電話を有している。中には、ＴＰＯ（Ｔｉｍｅ  Ｐｌａｃｅ  Ｏｃｃａｓｉｏｎ）に応じて、電話番号を使い分かるため、複数の携帯電話を有している人もいる。
【０００３】
【特許文献１】特開２００３−１８８９９１号公報
【発明の開示】
【発明が解決しようとする課題】
【０００４】
しかしながら、複数の携帯電話を持つのは、邪魔であったり、携帯の基本料金等がその分かかったりする問題があった。したがって、一つの携帯電話で、複数の電話番号を使いたいと言う要求があった。
しかし、従来の電話交換システム等では、例えば、速やかに、一人のユーザ（一つの携帯電話番号）に対して、複数の他の電話番号（少なくとも一つ以上の他の電話番号）を関連付け、関連付けた他の電話番号を利用可能にするサービス等は提供していなかった。
【０００５】
本発明は上記の問題点等に鑑みなされたもので、一つの携帯電話番号に対して、少なくとも一つ以上の他の電話番号を関連付け、関連付けた電話番号を利用可能にするサービスを速やかに提供することを目的とする。
【課題を解決するための手段】
【０００６】
そこで、上記問題を解決するため、本発明は、Ｗｅｂサイトに係る機能を提供する情報処理装置と、電話交換装置と、を含む電話交換システムであって、前記情報処理装置は、前記Ｗｅｂサイトを介した携帯電話からの要求に応じて、前記携帯電話に係る第一の電話番号を含むユーザ情報を、ユーザ情報格納手段に登録するユーザ情報登録手段を有し、前記電話交換装置は、前記第一の電話番号と、電話番号格納手段に登録されている第二の電話番号と、を関連付ける関連付け手段と、前記第二の電話番号の利用可能化に係る処理を実行する利用可能化処理手段と、を有することを特徴とする。
【０００７】
本発明によれば、Ｗｅｂサイトに係る機能を提供する情報処理装置と、電話交換装置と、を含む電話交換システムであって、前記情報処理装置は、前記Ｗｅｂサイトを介した携帯電話からの要求に応じて、前記携帯電話に係る第一の電話番号を含むユーザ情報を、ユーザ情報格納手段に登録するユーザ情報登録手段を有し、前記電話交換装置は、前記第一の電話番号と、電話番号格納手段に登録されている第二の電話番号と、を関連付ける関連付け手段と、前記第二の電話番号の利用可能化に係る処理を実行する利用可能化処理手段と、を有することにより、例えばユーザが、携帯電話を用いてＷｅｂサイトを介して、ユーザ情報を登録すると、前記携帯電話の電話番号と、少なくとも一つ以上の他の電話番号と、を対応付け、前記他の電話番号を利用可能にする処理を実行するので、一つの携帯電話番号に対して、少なくとも一つ以上の他の電話番号を関連付け、関連付けた電話番号を利用可能にするサービスを速やかに提供することができる。つまり、ユーザは、Ｗｅｂサイトを介して、ユーザ情報を登録するだけで、携帯電話の電話番号以外の、少なくとも一つ以上の他の電話番号が割り振られ、しかも、割り振られた電話番号をすぐに使うことができる。
【０００８】
なお、情報処理装置は、例えば、後述するＷｅｂサーバ１等に対応する。また、電話交換装置は、例えば、後述する電話交換機３等に対応する。また、第一の電話番号は、例えば、後述するファースト電話番号等に対応する。また、第二の電話番号は、例えば、後述するセカンド電話番号等に対応する。また、特許請求の範囲に記載の、付加価値の高い第二の電話番号は、例えば、後述するプレミアムセカンド電話番号等に対応する。
【０００９】
また、上記問題を解決するため、本発明は、電話番号関連付け方法、電話番号関連付けプログラム及び記録媒体としてもよい。
【発明の効果】
【００１０】
本発明によれば、一つの携帯電話番号に対して、少なくとも一つ以上の他の電話番号を関連付け、関連付けた電話番号を利用可能にするサービスを速やかに提供することができる。
【発明を実施するための最良の形態】
【００１１】
以下、本発明の実施の形態について図面に基づいて説明する。
【実施例１】
【００１２】
始めに、電話交換システムの一例を、図１に示す。図１は、電話交換システムの一例を示す図である。図１に示されるように、電話交換システムは、インターネットプロバイダや、携帯キャリアと接続されたインターネットデータセンターを含み。インターネットデータセンターは、ＬＡＮ（Ｌｏｃａｌ  Ａｒｅａ  Ｎｅｔｗｏｒｋ）等を介して互いに接続された、Ｗｅｂサーバ１と、電話交換機３と、を含む。なお、本実施例では、ユーザ情報ＤＢ２は、Ｗｅｂサーバ１に格納され、電話番号情報ＤＢ４は、電話交換機３に格納されているものとして説明を行う。以下の実施例においても同様である。但し、このことは本発明の実施を制限するものではない。
【００１３】
Ｗｅｂサーバ１は、ＷＷＷ（Ｗｏｒｌｄ  Ｗｉｄｅ  Ｗｅｂ）システムにおいて、情報送信を行うサーバであって、携帯サイトとして動作する。また、Ｗｅｂサーバ１は、ユーザ情報ＤＢ２を、ＨＤ（Ｈａｒｄ  Ｄｉｓｋ）等に保持する。ここで、ユーザ情報とは、携帯サイトの会員（ユーザ）の情報である。なお、ユーザ情報には、ユーザを識別するユーザＩＤ（例えば、ユーザの携帯電話番号（以下、ファースト電話番号という））や、後述するプレミアムセカンド電話番号を希望するか否かを識別する情報（プレミアム希望識別情報）、電話交換機３によってファースト電話番号と関連付けられたセカンド電話番号等が含まれる。なお、ユーザ情報ＤＢ２の一例は、後述する図４に示す。
【００１４】
ここで、セカンド電話番号とは、前記ユーザの携帯電話番号以外に、前記ユーザが前記携帯電話で使用可能な電話番号のことである。以下では、このセカンド電話番号は、０５０で始まるＩＰフォンの電話番号であるとして説明を行う。これは、ＩＰフォンは、一般的に、携帯電話よりも通話料金や、基本料金等が安いためである。但し、このことは本発明の実施を制限するものはない。
【００１５】
なお、ユーザが、携帯電話を用い、携帯サイトを介して登録した通話相手先の情報等を含む電話帳は、ユーザＩＤに対応付けて、Ｗｅｂサーバ１がＨＤ等に保持してもよいし、他のサーバ（又は電話交換機３）がそのＨＤ等に保持するようにしてもよい。但し、以下では説明の簡略化のため、電話帳は、Ｗｅｂサーバ１が、保持、管理するものとして説明を行う。なお、この電話帳には、通話相手先の情報と共に、この通話相手先には、ファースト電話番号で電話するか、又はセカンド電話番号で電話するかの識別情報が含まれている。ユーザは、前記識別情報を、携帯電話を用い、携帯サイトを介して設定する。
【００１６】
電話交換機３は、電話交換に係る処理を実行すると共に、ファースト電話番号と、セカンド電話番号と、を関連付ける処理、前記関連付けたセカンド電話番号の利用可能化に係る処理等を実行する。また、電話交換機３は、電話番号情報ＤＢ４をＨＤ（Ｈａｒｄ  Ｄｉｓｋ）等に保持する。ここで、電話番号情報とは、セカンド電話番号に係る情報である。なお、電話番号情報には、セカンド電話番号や、対応するセカンド電話番号がファースト電話番号に割り当て済みか否かを識別する情報（割り当て済み識別情報）、対応するセカンド電話番号がプレミアムセカンド電話番号か否かを識別する情報（プレミアム識別情報）、対応するセカンド電話番号が有効（つまり、使用できる状態になった）か否かを識別する情報（有効化識別情報）等が含まれる。なお、電話番号情報ＤＢ４の一例は、後述する図６に示す。
【００１７】
ここで、プレミアムセカンド電話番号とは、０５０に続く番号が、例えば、同じ数字（例えば、７７７７−７７７７等）であったり、昇順又は降順に連続した数字（例えば、９８７６−５４３２や、１２３４−５６７８等）であったりする番号のことである。なお、プレミアムセカンド電話番号は、これらに限定されるものではなく、例えば、０５０に続く番号の上４桁と下４桁とがそれぞれ同じ数字（例えば、００００−１１１１等）であったり、０５０に続く番号の上４桁と下４桁とがそれぞれ昇順又は降順に連続した数字（例えば、１２３４−１２３４や、４３２１−４３２１等）であったりしてもよい。つまり、０５０に続く番号が、所定の規則に基づいて並んでおり、ユーザがファースト電話番号との関連付けを希望するようなセカンド電話番号のことをプレミアムセカンド電話番号という。
【００１８】
以下、電話交換機３のハードウェア構成の一例を、図２に示す。図２は、電話交換機の一例のハードウェア構成図である。
【００１９】
図２に示されるように、電話交換機３は、ハードウェア構成として、入力装置１１と、表示装置１２と、記録媒体ドライブ装置１３と、ＲＯＭ（Ｒｅａｄ  Ｏｎｌｙ  Ｍｅｍｏｒｙ）１５と、ＲＡＭ（Ｒａｎｄｏｍ  Ａｃｃｅｓｓ  Ｍｅｍｏｒｙ）１６と、ＣＰＵ（Ｃｅｎｔｒａｌ  Ｐｒｏｃｅｓｓｉｎｇ  Ｕｎｉｔ）１７と、インターフェース装置１８と、ＨＤ１９と、を含む。
【００２０】
入力装置１１は、電話交換機３の操作者（又は管理者）が操作するキーボード及びマウス等で構成され、電話交換機３に各種操作情報等を入力するのに用いられる。表示装置１２は、電話交換機３の操作者が利用するディスプレイ等で構成され、各種情報（又は画面）等を表示するのに用いられる。
【００２１】
インターフェース装置１８は、電話交換機３をネットワーク等に接続するインターフェースである。電話交換機３が提供する機能の全て又は一部を実現する電話番号関連付けプログラムは、例えば、ＣＤ−ＲＯＭ等の記録媒体１４によって電話交換機３に提供されるか、ネットワーク等を通じてダウンロードされる。記録媒体１４は、記録媒体ドライブ装置１３にセットされ、電話番号関連付けプログラムが記録媒体１４から記録媒体ドライブ装置１３を介してＨＤ１９にインストールされる。
【００２２】
ＲＯＭ１５は、電話交換機３の電源投入時に最初に読み込まれるプログラム等を記録する。ＲＡＭ１６は、電話交換機３のメインメモリである。ＣＰＵ１７は、必要に応じて、ＨＤ１９より電話番号関連付けプログラムを読み出して、ＲＡＭ１６に格納し、電話番号関連付けプログラムを実行することで、後述する機能を提供する。また、ＨＤ１９は、電話番号関連付けプログラム以外に、電話番号情報ＤＢ４等を格納する。
【００２３】
Ｗｅｂサーバ１のハードウェア構成は、図２に示した電話交換機３のハードウェア構成と同様である。つまり、Ｗｅｂサーバ１のＣＰＵは、Ｗｅｂサーバ１のＨＤ等にインストールされているプログラムを実行することによって、後述する機能を提供する。
【００２４】
なお、図１では、Ｗｅｂサーバ１及び電話交換機３を別々の装置とした場合の電話交換システムの一例を示したが、１つの装置にＷｅｂサーバ１及び電話交換機３等の機能を実装するようにしてもよい。但し、以下では説明の簡略化のため、電話交換システムは、図１に示したような構成をしているものとして説明を行う。
【００２５】
以下、Ｗｅｂサーバ１の機能構成の一例を、図３に示す。図３は、Ｗｅｂサーバ１の一例の機能構成図である。図３に示されるように、Ｗｅｂサーバ１は機能構成として、ユーザ情報登録処理部２１と、関連付け要求部２２と、セカンド電話番号設定部２３と、ユーザ情報ＤＢ２と、を含む。
【００２６】
ユーザ情報登録処理部２１は、携帯サイトを介した携帯電話からの要求に応じて、ファースト電話番号や、プレミアム希望識別情報（例えば、プレミアムセカンド電話番号を希望する場合は「１」、プレミアムセカンド電話番号を希望しない場合は「０」）等を、ユーザ情報ＤＢ２に登録（設定）する。
【００２７】
関連付け要求部２２は、ユーザ情報登録処理部２１が、ファースト電話番号や、プレミアム希望識別情報等を、ユーザ情報ＤＢ２に登録すると、電話交換機３に対して、例えばファースト電話番号や、プレミアム希望識別情報等を含む、ファースト電話番号と、セカンド電話番号と、の関連付けの要求（リクエスメッセージ）を送信する。
【００２８】
セカンド電話番号設定部２３は、前記要求に応じて、電話交換機３において前記ファースト電話番号と対応付けられたセカンド電話番号を、電話交換機３より受け取ると、ユーザ情報ＤＢ２の該当するユーザ情報に設定する。
【００２９】
ユーザ情報登録処理部２１は、電話交換機３より、前記セカンド電話番号が利用可能になった旨の情報を受け取ると、例えば、携帯サイトを介して要求元の携帯電話に対して、ユーザ情報の登録が完了したことを通知する。
【００３０】
以下、ユーザ情報ＤＢ２の一例を、図４に示す。図４は、ユーザ情報ＤＢの一例を示す図である。図４に示されるように、ユーザ情報ＤＢ２は、項目として、ユーザＩＤ（ファースト電話番号）と、セカンド電話番号と、プレミアム希望識別情報と、を含む。
【００３１】
以下、電話交換機３の機能構成の一例を、図５に示す。図５は、電話交換機の一例の機能構成図である。図５に示されるように、電話交換機３は機能構成として、抽出部３１と、プレミアム識別情報設定部３２と、電話番号関連付け部３３と、利用可能化処理部３４と、電話番号情報ＤＢ４と、を含む。
【００３２】
抽出部３１は、例えば、セカンド電話番号に係る電話通信事業者のシステム等からセカンド電話番号が登録されると、ＨＤ１９等に格納されている予め定められたプレミアムセカンド電話番号抽出用の条件に基づいて、プレミアムセカンド電話番号を抽出する。ここで、プレミアムセカンド電話番号抽出用の条件とは、例えば、「０５０以下の番号が全て同一」や、「０５０以下の番号が昇順又は降順に並んでいる」等である。
【００３３】
プレミア識別情報設定部３２は、抽出部３１における抽出結果に応じて、例えば、プレミアムセカンド電話番号の場合は「１」、プレミアムセカンド電話番号でない場合は「０」等を、電話番号情報ＤＢ４の該当するレコードのプレミアム識別情報に設定する。
【００３４】
電話番号関連付け部３３は、Ｗｅｂサーバ１の関連付け要求部２２からの関連付けの要求に応じて、前記要求に含まれるファースト電話番号と、電話番号情報ＤＢ４に格納されているセカンド電話番号と、を関連付ける。
【００３５】
電話番号関連付け部３３は、前記関連付けの要求に含まれるプレミアム希望識別情報が０の場合、電話番号情報ＤＢ４に格納されているセカンド電話番号情報の内、例えば、割り当て済み識別情報が０で（つまり、割り当て済みでなく）、且つプレミアム識別情報が０のセカンド電話番号を検索し、取得する。そして、電話番号関連付け部３３は、取得したセカンド電話番号の中から一のセカンド電話番号を決定し、前記要求に含まれるファースト電話番号と関連付ける。
つまり、電話番号関連付け部３３は、前記決定したセカンド電話番号と、前記要求に含まれるファースト電話番号とを、Ｗｅｂサーバ１に送信し、前記セカンド電話番号を、ユーザ情報ＤＢ２の該当する箇所（レコードの項目）に設定する旨、要求すると共に、電話番号情報ＤＢ４の、前記決定したセカンド電話番号に係る割り当て済み識別情報に１を設定する。
Ｗｅｂサーバ１のセカンド電話番号設定部２３は、前記要求を受け取ると、前記セカンド電話番号を、ユーザ情報ＤＢ２の該当する箇所（レコードの項目）に設定する。
【００３６】
なお、ここで、電話番号関連付け部３３が、検索し、取得したセカンド電話番号の中から一のセカンド電話番号を決定する方法はどのような方法であってもよい。例えば、電話番号関連付け部３３は、最初に検索条件にヒットしたセカンド電話番号を、ファースト電話番号と関連付けるセカンド電話番号であると決定してもよい。
【００３７】
また、電話番号関連付け部３３は、前記関連付けの要求に含まれるプレミアム希望識別情報が１の場合、抽選を行い、抽選に当選すると、電話番号情報ＤＢ４に格納されているセカンド電話番号情報の内、例えば、割り当て済み識別情報が０で（つまり、割り当て済みでなく）、且つプレミアム識別情報が１のセカンド電話番号（つまり割り当て済みではないプレミアムセカンド電話番号）、を検索し、取得する。そして、電話番号関連付け部３３は、取得したプレミアムセカンド電話番号の中から一のプレミアムセカンド電話番号を決定し、前記要求に含まれるファースト電話番号と関連付ける。
つまり、電話番号関連付け部３３は、前記決定したプレミアムセカンド電話番号と、前記要求に含まれるファースト電話番号とを、Ｗｅｂサーバ１に送信し、前記プレミアムセカンド電話番号を、ユーザ情報ＤＢ２の該当する箇所（レコードの項目）に設定する旨、要求すると共に、電話番号情報ＤＢ４の、前記決定したプレミアムセカンド電話番号に係る割り当て済み識別情報に１を設定する。
Ｗｅｂサーバ１のセカンド電話番号設定部２３は、前記要求を受け取ると、前記プレミアムセカンド電話番号を、ユーザ情報ＤＢ２の該当する箇所（レコードの項目）に設定する。
【００３８】
なお、ここで、電話番号関連付け部３３が、抽選を行い、この抽選が当選したか否かを判定する方法はどのような方法であってもよい。例えば、電話番号関連付け部３３は、所定の範囲の乱数を発生させ、取得し（つまり、抽選を行い）、この乱数に基づいて、当選したか否かの判定に用いるテーブルを参照し、抽選が当選したか否かを判定するようにしてもよい。
また、電話番号関連付け部３３が、検索し、取得したプレミアムセカンド電話番号の中から一のプレミアムセカンド電話番号を決定する方法はどのような方法であってもよい。例えば、電話番号関連付け部３３は、最初に検索条件にヒットしたプレミアムセカンド電話番号を、ファースト電話番号と関連付けるセカンド電話番号であると決定してもよい。
【００３９】
利用可能化処理部３４は、電話番号関連付け部３３より、ファースト電話番号と、セカンド電話番号と、の関連付けを行った旨の情報を受け取ると、例えば、前記セカンド電話番号等を含む、セカンド電話番号のアクティベーション（利用可能化）依頼を、前記セカンド電話番号に係る電話通信事業者等のシステムに対して行う。
【００４０】
利用可能化処理部３４は、前記クティベーション依頼を行った前記セカンド電話番号に係る電話通信事業者等のシステム等からアクティベーション完了通知を受け取ると、電話番号情報ＤＢ４の、前記セカンド電話番号に係る有効化識別情報に１（つまり、有効で有る旨の値）を設定すると共に、Ｗｅｂサーバ１に、セカンド電話番号が利用可能になった旨の情報を通知する。
【００４１】
以下、電話番号情報ＤＢ４の一例を、図６に示す。図６は、電話番号情報ＤＢの一例を示す図である。図６に示されるように、電話番号情報ＤＢ４は、項目として、セカンド電話番号と、割り当て済み識別情報と、プレミアム識別情報と、有効化識別情報と、を含む。
【００４２】
以下、電話番号の関連付け処理、及び電話交換処理の一例を、図７に示す。図７は、電話番号の関連付け処理、及び電話交換処理のシーケンス図（その１）である。始めに、電話交換機３は、セカンド電話番号に係る電話通信事業者のシステム等より、セカンド電話番号を受け取ると（シーケンスＳＱ１）、電話番号情報ＤＢ４にセカンド電話番号を登録する（シーケンスＳＱ２）。
【００４３】
電話交換機３は、例えば、新たなセカンド電話番号を、電話番号情報ＤＢ４に登録すると、予め定められたプレミアムセカンド電話番号抽出用の条件に基づいて、プレミアムセカンド電話番号を電話番号情報ＤＢ４より抽出する（シーケンスＳＱ３及びシーケンスＳＱ４）。なお、電話交換機３は、この抽出処理を、新たに電話番号情報ＤＢ４に登録されたセカンド電話番号に対してのみ行ってもよいし、電話番号情報ＤＢ４に登録されているセカンド電話番号全てに対して行ってもよい。
【００４４】
電話交換機３は、抽出結果に応じて、例えば、プレミアムセカンド電話番号の場合は「１」、プレミアムセカンド電話番号でない場合は「０」等を、電話番号情報ＤＢ４の該当するレコードのプレミアム識別情報に設定する（シーケンスＳＱ５）。
【００４５】
一方、Ｗｅｂサーバ１は、携帯サイトを介した携帯電話から、ユーザ情報の登録要求を受け取ると（シーケンスＳＱ１０）、ファースト電話番号や、プレミアム希望識別情報等を、ユーザ情報ＤＢ２に登録（設定）する（シーケンスＳＱ１１）。
【００４６】
Ｗｅｂサーバ１は、ファースト電話番号や、プレミアム希望識別情報等の登録が終了すると、電話交換機３に対して、例えばファースト電話番号や、プレミアム希望識別情報等を含む、ファースト電話番号と、セカンド電話番号と、の関連付けの要求を送信する（シーケンスＳＱ１２）。
【００４７】
電話交換機３は、例えば、前記関連付けの要求に含まれるプレミアム希望識別情報が０の場合（つまり、ユーザがプレミアムセカンド電話番号を希望しない場合）、電話番号情報ＤＢ４に格納されているセカンド電話番号情報の内、割り当て済み識別情報が０で（つまり、割り当て済みでなく）、且つプレミアム識別情報が０の（つまり、プレミアムセカンド電話番号でない）セカンド電話番号を検索し（シーケンスＳＱ１３）、取得する（シーケンスＳＱ１４）。
【００４８】
電話交換機３は、前記取得したセカンド電話番号の中から一のセカンド電話番号を決定し、決定したセカンド電話番号に係る割り当て済み識別情報に１を設定する（シーケンスＳＱ１５）と共に、前記決定したセカンド電話番号と、前記要求に含まれるファースト電話番号とを、Ｗｅｂサーバ１に送信し、前記セカンド電話番号を、ユーザ情報ＤＢ２の該当する箇所（レコードの項目）に設定する旨、要求する（シーケンスＳＱ１６）。
【００４９】
Ｗｅｂサーバ１は、前記要求を受け取ると、前記セカンド電話番号を、ユーザ情報ＤＢ２の該当する箇所（レコードの項目）に設定する（シーケンスＳＱ１７）。
【００５０】
また、電話交換機３は、ファースト電話番号との関連付けを行ったセカンド電話番号に係るアクティベーション依頼を、前記セカンド電話番号に係る電話通信事業者等のシステムに対して行う（シーケンスＳＱ１８）。
【００５１】
電話交換機３は、前記クティベーション依頼を行った前記セカンド電話番号に係る電話通信事業者等のシステム等からアクティベーション完了通知を受け取ると（シーケンスＳＱ１９）、電話番号情報ＤＢ４の、前記セカンド電話番号に係る有効化識別情報に１（つまり、有効で有る旨の値）を設定する（シーケンスＳＱ２０）と共に、Ｗｅｂサーバ１に、セカンド電話番号が利用可能になった旨の情報を通知する（シーケンスＳＱ２１）。
【００５２】
Ｗｅｂサーバ１は、電話交換機３より、前記セカンド電話番号が利用可能になった旨の情報を受け取ると、例えば、携帯サイトを介して要求元の携帯電話に対して、ユーザ情報の登録が完了したことを通知する（シーケンスＳＱ２２）。
【００５３】
ユーザは、ユーザ情報の登録が完了すると、携帯電話等を用いてＷｅｂサーバ１に対して、電話帳の閲覧要求を送信する（シーケンスＳＱ３０）。Ｗｅｂサーバ１は、電話帳の閲覧要求を受信すると、前記閲覧要求に含まれるユーザＩＤに対応する電話帳を、ＨＤ等より取得して、ユーザの携帯電話等から閲覧可能にする（シーケンスＳＱ３１）。
【００５４】
ユーザは、携帯電話等で自身が予め登録しておいた電話帳を閲覧し、通話相手を選択すると、前記通話相手を電話で呼び出す（シーケンスＳＱ３２）。なお、ユーザは、を閲覧し、セカンド電話番号で電話すると設定していた通話相手を選択したものとして、以下説明を行う。
【００５５】
Ｗｅｂサーバ１は、ユーザの携帯電話等から、ユーザのファースト電話番号や、通話相手の電話番号等を含む呼び出し要求を受け取ると、前記ファースト電話番号に基づいて、ユーザ情報ＤＢ３より、対応するセカンド電話番号を取得し（シーケンスＳＱ３３及びシーケンスＳＱ３４）、取得したセカンド電話番号と、前記通話相手の電話番号と、を含む呼び出し要求を、電話交換機３等に送信する（シーケンスＳＱ３５）。
【００５６】
電話交換機３は、前記呼び出し要求を受け取ると、前記要求に含まれるセカンド電話番号に基づいて、電話番号情報ＤＢ４より、対応する有効化識別情報を取得し（シーケンスＳＱ３６及びシーケンスＳＱ３７）、有効化識別情報が１か否か、つまり、セカンド電話番号が有効か否かを判定する。電話交換機３は、セカンド電話番号が有効であると判定すると、前記要求に含まれるセカンド電話番号と、前記通話相手の電話番号と、に基づいて、電話交換の開始処理を実行し（シーケンスＳＱ３８）、通話に係る音声データをユーザ側と、通話相手側と、に提供する処理を実行する（シーケンスＳＱ３９及びシーケンスＳＱ４０）。
【００５７】
上述したように、本実施例によれば、一つの携帯電話番号（ファースト電話番号）に対して、少なくとも一つ以上の他の電話番号（セカンド電話番号）を関連付け、関連付けた電話番号（セカンド電話番号）を利用可能にするサービスを速やかに提供することができる。
【実施例２】
【００５８】
上述した実施例１では、電話番号関連付け部３３は、Ｗｅｂサーバ１の関連付け要求部２２からの関連付けの要求に含まれるプレミアム希望識別情報が０の場合、電話番号情報ＤＢ４に格納されているセカンド電話番号情報の内、例えば、割り当て済み識別情報が０で（つまり、割り当て済みでなく）、且つプレミアム識別情報が０のセカンド電話番号を検索し、検索結果として取得したセカンド電話番号の中から自動的に、一のセカンド電話番号を選択し、前記関連付けの要求に含まれるファースト電話番号と関連付けた。
【００５９】
しかしながら、電話番号関連付け部３３は、Ｗｅｂサーバ１の関連付け要求部２２からの関連付けの要求に含まれるプレミアム希望識別情報が０の場合、電話番号情報ＤＢ４に格納されているセカンド電話番号情報の内、例えば、割り当て済み識別情報が０で（つまり、割り当て済みでなく）、且つプレミアム識別情報が０のセカンド電話番号を検索し、検索結果として取得したセカンド電話番号が複数存在すると、この複数のセカンド電話番号をＷｅｂサーバ１に送信し、携帯サイトを介してユーザに提示するようにしてもよい。
このようにすることによって、ユーザは、提示された複数のセカンド電話番号の中から、一のセカンド電話番号を、携帯電話を用いて選択することができる。
【００６０】
電話番号関連付け部３３は、ユーザによるセカンド電話番号の選択指示を、Ｗｅｂサーバ１より受け取ると、選択されたセカンド電話番号と、前記関連付けの要求に含まれるファースト電話番号と、を関連付ける。
【００６１】
本実施例によれば、ユーザは、携帯電話を用いてユーザ情報を登録するだけではなく、セカンド電話番号を選択する操作も行わなければならないが、そのかわり、複数のセカンド電話番号の中から一のセカンド電話番号を自身で選択することができる。
【実施例３】
【００６２】
上述した実施例１では、電話番号関連付け部３３は、Ｗｅｂサーバ１の関連付け要求部２２からの関連付けの要求に含まれるプレミアム希望識別情報が１の場合、電話番号情報ＤＢ４に格納されているセカンド電話番号情報の内、例えば、割り当て済み識別情報が０で（つまり、割り当て済みでなく）、且つプレミアム識別情報が１のセカンド電話番号を検索し、検索結果として取得したプレミアムセカンド電話番号の中から自動的に、一のプレミアムセカンド電話番号を選択し、前記関連付けの要求に含まれるファースト電話番号と関連付けた。
【００６３】
しかしながら、電話番号関連付け部３３は、Ｗｅｂサーバ１の関連付け要求部２２からの関連付けの要求に含まれるプレミアム希望識別情報が１の場合、電話番号情報ＤＢ４に格納されているセカンド電話番号情報の内、例えば、割り当て済み識別情報が０で（つまり、割り当て済みでなく）、且つプレミアム識別情報が１のセカンド電話番号を検索し、検索結果として取得したプレミアムセカンド電話番号が複数存在すると、この複数のプレミアムセカンド電話番号をＷｅｂサーバ１に送信し、携帯サイトを介してユーザに提示するようにしてもよい。
このようにすることによって、ユーザは、提示された複数のプレミアムセカンド電話番号の中から、一のプレミアムセカンド電話番号を、携帯電話を用いて選択することができる。
【００６４】
電話番号関連付け部３３は、ユーザによるプレミアムセカンド電話番号の選択指示を、Ｗｅｂサーバ１より受け取ると、選択されたプレミアムセカンド電話番号と、前記関連付けの要求に含まれるファースト電話番号と、を関連付ける。
【００６５】
本実施例によれば、ユーザは、携帯電話を用いてユーザ情報を登録するだけではなく、プレミアムセカンド電話番号を選択する操作も行わなければならないが、そのかわり、複数のプレミアムセカンド電話番号の中から一のプレミアムセカンド電話番号を自身で選択することができる。
【実施例４】
【００６６】
以下、実施例４における電話交換システムの処理を、図８を用いて説明する。図８は、電話番号の関連付け処理、及び電話交換処理のシーケンス図（その２）である。図８におけるシーケンスＳＱ１からシーケンスＳＱ４までの処理は、実施例１に示した図７におけるシーケンスＳＱ１からシーケンスＳＱ４までの処理と同様である。
【００６７】
本実施例の電話交換機３は、抽出結果に応じて、プレミアムセカンド電話番号の場合は、各プレミアムセカンド電話番号を識別する一意の値（１以上の整数）を、また、プレミアムセカンド電話番号でない場合は、「０」等を、電話番号情報ＤＢ４の該当するレコードのプレミアム識別情報に設定する（シーケンスＳＱ５）。
【００６８】
そして、電話交換機３は、抽出結果に基づいて、抽出したプレミアムセカンド電話番号及びこのプレミアムセカンド電話番号のプレミアム識別情報を、Ｗｅｂサーバ１に送信する（シーケンスＳＱ６）。つまり、本実施例の場合、プレミアム識別情報は、対応するセカンド電話番号が、プレミアムセカンド電話番号か否かを示すと共に、前記セカンド電話番号が、プレミアムセカンド電話番号の場合、どのプレミアムセカンド電話番号かを示す（識別する）情報である。
【００６９】
Ｗｅｂサーバ１は、前記プレミアムセカンド電話番号を、例えば、携帯サイト等を介して、ユーザに提示し、ユーザが、前記プレミアムセカンド電話番号を希望して、ユーザ情報を登録することを可能にする（シーケンスＳＱ７）。
【００７０】
Ｗｅｂサーバ１は、携帯サイトを介した携帯電話から、ユーザ情報の登録要求を受け取ると（シーケンスＳＱ１０）、ファースト電話番号や、プレミアム希望識別情報等を、ユーザ情報ＤＢ２に登録（設定）する（シーケンスＳＱ１１）。つまり、本実施例の場合、プレミアム希望識別情報は、プレミアムセカンド電話番号を希望するか否かを示すと共に、プレミアムセカンド電話番号を希望する場合、前記プレミアム識別情報に対応し、どのプレミアムセカンド電話番号を希望するかを示す（識別する）情報である。
【００７１】
図８におけるシーケンスＳＱ１２の処理は、実施例１に示した図７におけるシーケンスＳＱ１２の処理と同様である。
【００７２】
電話交換機３は、例えば、前記関連付けの要求に含まれるプレミアム希望識別情報が１以上の整数の場合（つまり、ユーザが特定のプレミアムセカンド電話番号を希望している場合）、前記整数に応じて（つまり、希望するプレミアムセカンド電話番号に応じて）、抽選を行い、抽選に当選すると、電話番号情報ＤＢ４に格納されているセカンド電話番号情報の内、割り当て済み識別情報が０で（つまり、割り当て済みでなく）、且つプレミアム識別情報が前記プレミアム希望識別情報と同一のセカンド電話番号を検索し（シーケンスＳＱ１３）、前記セカンド電話番号を取得する（シーケンスＳＱ１４）。
【００７３】
なお、電話交換機３は、前記セカンド電話番号が存在しなかったり、前記抽選に外れたりすると、割り当て済みではなく、プレミアムセカンド電話番号でもない通常のセカンド電話番号を取得する。但し、以下では、説明の簡略化のため、前記セカンド電話番号が存在し、抽選に当選したとして説明を行う。
【００７４】
電話交換機３は、ユーザが指定したプレミアムセカンド電話番号を取得すると、前記プレミアムセカンド電話番号に係る割り当て済み識別情報に１を設定する（シーケンスＳＱ１５）と共に、前記プレミアムセカンド電話番号と、前記要求に含まれるファースト電話番号とを、Ｗｅｂサーバ１に送信し、前記プレミアムセカンド電話番号を、ユーザ情報ＤＢ２の該当する箇所（レコードの項目）に設定する旨、要求する（シーケンスＳＱ１６）。
【００７５】
なお、図８におけるシーケンスＳＱ１７からシーケンスＳＱ２２までの処理、及びシーケンスＳＱ３０からシーケンスＳＱ４０までの処理は、実施例１に示した図７におけるシーケンスＳＱ１７からシーケンスＳＱ２２までの処理、及びシーケンスＳＱ３０からシーケンスＳＱ４０までの処理と同様である。
【００７６】
上述したように、本実施例によれば、ユーザは、プレミアムセカンド電話番号を指定して、ファースト電話番号との関連付けを要求することができる。
【実施例５】
【００７７】
上述した各実施例では、ユーザがプレミアムセカンド電話番号を希望した場合、例えば、電話交換機３は、抽選を行って、抽選に当選すると、ユーザのファースト電話番号と、プレミアムセカンド電話番号と、を関連付けていた。
【００７８】
しかしながら、例えば、電話交換機３は、抽選ではなく、オークションを行い、プレミアムセカンド電話番号に対して最も高い金額を提示したユーザのファースト電話番号と、プレミアムセカンド電話番号と、を関連付けるようにしてもよい。
【００７９】
以下、実施例５における電話交換システムの処理を、図９を用いて説明する。図９は、電話番号の関連付け処理、及び電話交換処理のシーケンス図（その３）である。図９におけるシーケンスＳＱ１からシーケンスＳＱ６までの処理は、実施例４に示した図８におけるシーケンスＳＱ１からシーケンスＳＱ６までの処理と同様である。
【００８０】
本実施例のＷｅｂサーバ１は、前記プレミアムセカンド電話番号を、例えば、携帯サイト等を介して、ユーザに提示し、ユーザが、前記プレミアムセカンド電話番号と、前記プレミアムセカンド電話番号の金額と、を指定して、ユーザ情報を登録することを可能にする（シーケンスＳＱ７）。なお、以下では、説明の簡略化のため、ユーザは、プレミアムセカンド電話番号を希望するものとして説明を行う。
【００８１】
Ｗｅｂサーバ１は、携帯サイトを介した携帯電話から、ユーザ情報の登録要求を受け取ると（シーケンスＳＱ１０）、ファースト電話番号や、プレミアム希望識別情報等を、ユーザ情報ＤＢ２に登録（設定）する（シーケンスＳＱ１１）。なお、本実施例の場合、前記ユーザ情報の登録要求に、希望するプレミアムセカンド電話番号の金額の情報が含まれている。
【００８２】
Ｗｅｂサーバ１は、ファースト電話番号や、プレミアム希望識別情報等の登録が終了すると、電話交換機３に対して、例えばファースト電話番号や、プレミアム希望識別情報、希望するプレミアムセカンド電話番号の金額の情報等を含む、ファースト電話番号と、セカンド電話番号と、の関連付けの要求を送信する（シーケンスＳＱ１２）。
【００８３】
電話交換機３は、例えば、前記関連付けの要求に含まれるプレミアム希望識別情報が１以上の整数の場合（つまり、ユーザが特定のプレミアムセカンド電話番号を希望している場合）、オークションの終了時間まで待機する（シーケンスＳＱ１３）。なお、電話交換機３は、通常のオークションのように、他のユーザ等によって、より高額の金額が設定された場合、その旨を、Ｗｅｂサーバ１を介してユーザに提示し、ユーザが希望するプレミアムセカンド電話番号の金額を上げるか等を問い合わせるようにしてもよい。
【００８４】
電話交換機３は、オークションの終了時間が来ると、前記金額の情報が、前記プレミアムセカンド電話番号に対して設定された金額の内、最も高い金額か否かを判定し、最も高い金額であると判定すると、電話番号情報ＤＢ４に格納されているセカンド電話番号情報の内、割り当て済み識別情報が０で（つまり、割り当て済みでなく）、且つプレミアム識別情報が前記プレミアム希望識別情報と同一のセカンド電話番号を検索し（シーケンスＳＱ１４）、前記セカンド電話番号を取得する（シーケンスＳＱ１５）。
【００８５】
なお、図９におけるシーケンスＳＱ１６からシーケンスＳＱ２３までの処理、及びシーケンスＳＱ３０からシーケンスＳＱ４０までの処理は、実施例４に示した図８におけるシーケンスＳＱ１５からシーケンスＳＱ２２までの処理、及びシーケンスＳＱ３０からシーケンスＳＱ４０までの処理と同様である。
【００８６】
上述したように、本実施例によれば、オークションで最も高い金額を付けたユーザに対して、プレミアムセカンド電話番号を、ファースト電話番号と関連付け、使用可能にすることができる。
【００８７】
以上、本発明の好ましい実施例について詳述したが、本発明は係る特定の実施形態に限定されるものではなく、特許請求の範囲に記載された本発明の要旨の範囲内において、種々の変形・変更が可能である。
【図面の簡単な説明】
【００８８】
【図１】図１は、電話交換システムの一例を示す図である。
【図２】図２は、電話交換機の一例のハードウェア構成図である。
【図３】図３は、Ｗｅｂサーバ１の一例の機能構成図である。
【図４】図４は、ユーザ情報ＤＢの一例を示す図である。
【図５】図５は、電話交換機の一例の機能構成図である。
【図６】図６は、電話番号情報ＤＢの一例を示す図である。
【図７】図７は、電話番号の関連付け処理、及び電話交換処理のシーケンス図（その１）である。
【図８】図８は、電話番号の関連付け処理、及び電話交換処理のシーケンス図（その２）である。
【図９】図９は、電話番号の関連付け処理、及び電話交換処理のシーケンス図（その３）である。
【符号の説明】
【００８９】
１    Ｗｅｂサーバ
２    ユーザ情報ＤＢ
３    電話交換機
４    電話番号情報ＤＢ
１１  入力装置
１２  表示装置
１３  記録媒体ドライブ装置
１４  記録媒体
１５  ＲＯＭ
１６  ＲＡＭ
１７  ＣＰＵ
１８  インターフェース装置
１９  ＨＤ
２１  ユーザ情報登録処理部
２２  関連付け要求部
２３  セカンド電話番号設定部
３１  抽出部
３２  プレミアム識別情報設定部
３３  電話番号関連付け部
３４  利用可能化処理部
【図１】
2007129644.tif 000003
【図２】
2007129644.tif 000004
【図３】
2007129644.tif 000005
【図４】
2007129644.tif 000006
【図５】
2007129644.tif 000007
【図６】
2007129644.tif 000008
【図７】
2007129644.tif 000009
【図８】
2007129644.tif 000010
【図９】
2007129644.tif 000011